(57)【要約】【課題】地図情報表示装置周辺の街の地図情報をユーザが簡単に活用できる街角地図システムを提供する。【解決手段】対象地域の地図情報を表示する街角地図板１０と、対象地域にある建物０１〜０３に、建物を識別するＩＤとその建物情報を街角地図板１０に送信するための通信装置を設けた。街角地図板１０は各通信装置から送られた情報を基に地図データを構成して液晶画面に表示する。【選択図】　　　　図１
2004029144.tif 000002
【特許請求の範囲】
【請求項１】
利用者が自分の存在位置や、行き先の情報を知るナビゲーションサービスを提供する街角地図システムであって、
街中の周辺の地図情報を電子システム化して表示する地図情報表示装置と、前記地図情報の対象となる実際の建物に設置され、前記地図情報表示装置と建物情報を通信するための通信装置を有することを特徴とする街角地図システム。
【請求項２】
前記地図情報表示装置は、
液晶表示装置と、地図データ記憶装置と、印刷装置と、課金装置と、有線／無線接続のインタフェースとを備え、前記地図データ記憶装置に蓄えられている地図データを前記液晶表示装置に表示し、前記印刷装置で印刷し、前記有線／無線インタフェースを介してダウンロードすることを特徴とする請求項１に記載の街角地図システム。
【請求項３】
実際の建物に設置された前記通信装置は、
自身に関する建物情報を記憶する建物情報記憶装置と、前記地図情報表示装置に前記建物情報を送信する有線あるいは無線接続のインタフェースを備えることを特徴とする請求項１に記載の街角地図システム。
【請求項４】
前記地図情報表示装置は、
前記地図データ記憶装置に、前記地図情報表示装置を識別するＩＤと、登録されている実際の建物を識別するＩＤと、その建物に関する簡易情報とを保持し、それらの情報から地図データを構築することを特徴とする請求項２に記載の街角地図システム。
【請求項５】
実際の建物に設置された前記通信装置は、
前記建物情報記憶装置に、その建物を識別するＩＤと、その建物に関する簡易情報と、及びその建物に関する詳細情報と、その建物が登録されている前記地図情報表示装置を識別するＩＤを保持することを特徴とする請求項３に記載の街角地図システム。
【請求項６】
実際の建物に設置された前記通信装置は、
備え付けられた有線あるいは無線接続のインタフェースを介して、前記建物情報の公開をおこなう前記地図情報表示装置と通信を行い、その建物を識別するＩＤと、その建物に関する簡易情報とを、前記地図情報表示装置に登録することを特徴とする請求項５に記載の街角地図システム。
【請求項７】
前記地図情報表示装置は、
備え付けられた有線あるいは無線接続のインタフェースを介して、登録されている実際の建物からその建物に関する詳細情報を取得し、備え付けられた前記液晶表示装置に前記詳細情報を表示することを特徴とする請求項２に記載の街角地図システム。
【発明の詳細な説明】
【０００１】
【発明の属する技術分野】
本発明は液晶表示装置をもちいた地図データの表示／印刷／ダウンロード／行き先案内サービスと、その地図データの更新方法を提供する街角地図システムに関する。
【０００２】
【従来の技術】
従来、地図上の自分の位置を確認し、行き先を示すナビゲーションシステムに用いられる地図表示方法を提供する発明が知られており、以下に代表的なものを紹介する。
【０００３】
従来技術１　特開平０５−３０７３５５号　地図表示装置
この発明は、自動的に最適な表示範囲を計算して画面に表示する方法を示したものである。
【０００４】
従来技術２　特開平０６−２２９７７３号、特開平０７−０２８３９５号　地図表示装置
これらの発明は、液晶表示装置の下にあらかじめ印刷された地図シートをもつ構造で、地図シートと画像データを重ね合わせるというものである。
【０００５】
従来技術３　特開平０７−０２８４０２号、特開平０７−１１０２３９号　地図表示装置
これらの発明は、通常の地図（紙に印刷されているもの）の上に画像データを重ね合わせて、ナビゲーションシステムとして機能させるというものである。
【０００６】
従来技術４　特願平１１−５２３７０１号　防舷材及びその管理システム
この発明は、船舶の係留時に緩衝材として用いる防舷材とその管理システムに関するものであり、各防舷材に衛星通信するためのトランスポンダを設置し、集中管理するシステムである。
【０００７】
【発明が解決しようとする課題】
市街地などにある周辺地図板は、板（鉄板等）の上に直接描かれたもので、非常に情報量が少ない。区画整備や建物の建替え等で地図が変わった場合は、地図版そのものを作り変えなければならない。また、携帯情報端末等に表示できる地図に比べて図面のサイズは大きいが、公共物であることと、重量及びサイズの問題で持ち運びができない。
【０００８】
また、電話帳と同様に、地図には表示させたい情報とそうでない情報があり、全ての情報を公開するのはセキュリティ上問題がある。
【０００９】
従来技術１ではユーザに提示するのは最適な表示範囲であって、ナビゲーションに対しては適切であるが、本発明のようにより細かな情報を得るようなシステムではない。
従来技術２、３では、地図データがシート上のものであり、上記の課題に対しては不向きである。
従来技術４では、システム構成としては本発明に似ているところもあるが、そもそもの目的が異なる。
【００１０】
本発明ではこれらの問題点を解決し、市街地の周辺地図板を利用するユーザの利便を図ることを目的とする。
【００１１】
【課題を解決するための手段】
かかる目的を解決するため、請求項１に記載の発明は、利用者が自分の存在位置や、行き先の情報を知るナビゲーションサービスを提供する街角地図システムであって、街中の周辺の地図情報を電子システム化して表示する地図情報表示装置と、地図情報の対象となる実際の建物に設置され、地図情報表示装置と建物情報を通信するための通信装置を有することを特徴とする。
【００１２】
請求項２に記載の発明は、請求項１に記載の街角地図システムにおいて、地図情報表示装置は、液晶表示装置と、地図データ記憶装置と、印刷装置と、課金装置と、有線／無線接続のインタフェースとを備え、地図データ記憶装置に蓄えられている地図データを液晶表示装置に表示し、印刷装置で印刷し、有線／無線インタフェースを介してダウンロードすることを特徴とする。
【００１３】
請求項３に記載の発明は、請求項１に記載の街角地図システムにおいて、実際の建物に設置された通信装置は、自身に関する建物情報を記憶する建物情報記憶装置と、地図情報表示装置に建物情報を送信する有線あるいは無線接続のインタフェースを備えることを特徴とする。
【００１４】
請求項４に記載の発明は、請求項２に記載の街角地図システムにおいて、地図情報表示装置は、地図データ記憶装置に、地図情報表示装置を識別するＩＤと、登録されている実際の建物を識別するＩＤと、その建物に関する簡易情報とを保持し、それらの情報から地図データを構築することを特徴とする。
【００１５】
請求項５に記載の発明は、請求項３に記載の街角地図システムにおいて、実際の建物に設置された通信装置は、建物情報記憶装置に、その建物を識別するＩＤと、その建物に関する簡易情報と、及びその建物に関する詳細情報と、その建物が登録されている地図情報表示装置を識別するＩＤを保持することを特徴とする。
【００１６】
請求項６に記載の発明は、請求項５に記載の街角地図システムにおいて、実際の建物に設置された通信装置は、備え付けられた有線あるいは無線接続のインタフェースを介して、建物情報の公開をおこなう地図情報表示装置と通信を行い、その建物を識別するＩＤと、その建物に関する簡易情報とを、地図情報表示装置に登録することを特徴とする。
【００１７】
請求項７に記載の発明は、請求項２に記載の街角地図システムにおいて、地図情報表示装置は、備え付けられた有線あるいは無線接続のインタフェースを介して、登録されている実際の建物からその建物に関する詳細情報を取得し、備え付けられた液晶表示装置に詳細情報を表示することを特徴とする。
【００１８】
【発明の実施の形態】
以下、本発明の実施の形態を図面を参照しながら説明する。
【００１９】
図１は本発明の街角地図システムを使用する街中の周辺地図である。この地図には、街中にある周辺地図板を電子システム化した街角地図板１０と、街角地図板の周辺にある建物０１〜０３が記載されている。各建物の通信装置と街角地図板１０は有線もしくは無線ネットワークインタフェイスにより接続されており、両者の間で建物の情報、地図板の情報が通信される。この通信の様子は図４を用いて詳細に説明する。
【００２０】
図２は建物０１の外観図である。一般的に街角地図板１０に登録される建物は街角地図板１０と通信するための、有線あるいは無線の通信手段をもつ。図２においては、建物０１は無線の通信手段として、無線ネットワークインタフェース０２を持つ。また、建物情報を保持するための記憶装置０３が、建物内あるいはネットワークでアクセス可能な場所に置かれている。他の建物に関しても同様の通信手段を持つ。
【００２１】
図３は街角地図板１０の外観図である。この街角地図版１０は、地図を表示する液晶表示装置２０と、表示する地図データを記憶しておく地図データ記憶装置３０、地図データおよび種々の情報等の印刷をおこなう印刷装置４０、印刷したデータの情報料の精算をおこなう課金装置４５、外部システムとの通信を行うための有線ネットワークインタフェース５０、携帯端末との通信を実現するための無線ネットワークインタフェース６０からなる。
【００２２】
図４は、街角地図板と各建物が各々所有する情報と、それらの情報が互いにやりとりされる様子を示す図である。本発明の街角地図システムは一般的に複数の街角地図板と複数の建物がある状況下で使用される。各街角地図板は地図板ＩＤを所持しており、複数の建物の建物ＩＤと簡易情報と詳細情報が登録されるが、セキュリティや通信コスト等を考慮して登録する情報を制限できる。また、各建物は建物ＩＤと簡易情報と詳細情報を所持しており、複数の街角地図板の地図板ＩＤが登録される。各建物は地図板ＩＤが登録された街角地図板にたいして建物の各情報を登録することができる。
【００２３】
図５を用いて、建物０１の情報を街角地図板１０に登録する様子を説明する。建物０１は、自身の情報を表示したい街角地図版１０に対して、建物情報記憶装置０３に保持している自身の建物ＩＤと簡易情報を登録する。街角地図版１０は、登録された建物０１の建物ＩＤと簡易情報を地図データ記憶装置３０に保存する。各建物の建物ＩＤと簡易情報の組み合わせは、一意に識別可能でなければならない。また、建物０１は自身の詳細情報も記憶装置０３に保持している。例えば、１つのビルに複数のテナントが入っている場合には、そのビルの建物ＩＤ、各テナント名称、各テナントの業務概要といった情報を詳細情報として記憶装置０３に入れておくことができる。
【００２４】
街角地図板１０は、建物０１の情報のうち登録されたものしか表示することができない。これにより、自身の情報を公開したくない建物は、登録しないことで非公開となり、セキュリティの面で安全である。
【００２５】
次に図５を用いて、ユーザが街角地図板１０を利用する様子を説明する。
街角地図板１０は、登録された建物０１の建物ＩＤと簡易情報から地図データを構築する。ユーザが、表示されている地図データ上の建物ＩＤの場所を選択すると、街角地図板１０は地図データ記憶装置３０に登録されている簡易情報を液晶表示装置２０に表示する。
【００２６】
ユーザが、その簡易情報から更に詳細情報を要求すると、街角地図板１０は有線ネットワークインタフェース５０または無線ネットワークインタフェース６０を介して建物０１と通信を行い、建物０１の記憶装置０３に保持されている詳細情報を取得して、液晶表示装置２０に表示することができる。
【００２７】
ユーザは液晶表示装置２０に表示された地図データ、建物の簡易情報、詳細情報等を印刷装置４０により印刷することができ、そのさい街角地図板１０は課金処理４５により対応する情報の情報料の精算をおこなう。
【００２８】
この機構により、各建物の詳細情報は建物自身だけが保持することになり、街角地図板１０との詳細情報の重複がなくなる。よって、街角地図板１０の地図データ記憶装置３０の容量も小さく抑えることができる。これは各建物に関するセキュリティを保障することにもなる。また、詳細情報のみを変更した場合、建物０１はその詳細情報を街角地図板１０にアップロードしなくてもよく、通信コストを下げることができる。
【００２９】
なお、上記の実施形態は他の建物に関しても同様に処理される。
【００３０】
【発明の効果】
請求項１、２、３の発明に対応する街角地図システムでは、建物に通信手段を設けることにより、街角地図板との間で通信が可能となり、お互いの情報をやり取りすることが可能となり、ユーザに様々な機能を提供することが可能となる。
【００３１】
請求項４、６の発明に対応する街角地図システムでは、登録されている建物のＩＤと簡易情報のみをもつため、街角地図板が大量のデータを保持する必要がなくなる。また、登録された情報以外の表示はできなくなるので、セキュリティが向上する。
【００３２】
請求項５、７の発明に対応する街角地図システムでは、建物の詳細情報を建物側がもつことにより、詳細情報だけを変更した場合、街角地図板へ情報をアップロードする必要がなく、通信コストを下げることができる。
【図面の簡単な説明】
【図１】本発明の街角地図システムを使用する街中の周辺地図である。
【図２】建物０１の外観図である。
【図３】街角地図板１０の外観図である。
【図４】街角地図板１０と各建物が各々所有する情報と、それらの情報が互いにやりとりされる様子を示す図である。
【図５】本発明の動作処理フローチャートである。
【符号の説明】
１０　街角地図板
２０　液晶表示装置
３０　地図データ記憶装置
４０　印刷装置
４５　課金装置
５０　有線ネットワークインタフェース
６０　無線ネットワークインタフェース
【図１】
2004029144.tif 000003
【図２】
2004029144.tif 000004
【図３】
2004029144.tif 000005
【図４】
2004029144.tif 000006
【図５】
2004029144.tif 000007